(57)【要約】      （修正有）【課題】移動端末による電子メールの送受信を効率的に実行する。【解決手段】異なる通信速度の複数の無線通信ネットワークと、電子メーラ８０を有するマルチアクセス端末７０と、このマルチアクセス端末が一定の通信速度以上の前記無線通信ネットワークに接続したときに、この無線通信ネットワークを介して前記電子メーラ８０を起動する電子メーラ起動サーバ２０とを備えた移動端末メールシステム。【選択図】図１
2009027452.tif 000002
【特許請求の範囲】
【請求項１】
異なる通信速度の複数の無線通信網と、電子メーラを有する移動端末と、この移動端末が一定の通信速度以上の前記無線通信網に接続したときに当該無線通信網を介して前記電子メーラを起動する電子メーラ起動装置とを備えたことを特徴とする移動端末メールシステム。
【請求項２】
前記請求項１に記載の移動端末メールシステムにおいて、
前記移動端末の電子メーラは、前記移動端末が接続した無線通信網を介して電子メールの受信を行う電子メール受信機能を有することを特徴とした移動端末メールシステム。
【請求項３】
前記請求項１又は２に記載の移動端末メールシステムにおいて、
前記移動端末の電子メーラは、前記移動端末が接続した無線通信網を介して電子メールの送信を行う電子メール送信機能を有することを特徴とした移動端末メールシステム。
【請求項４】
前記請求項３に記載の移動端末メールシステムにおいて、
前記移動端末が前記無線通信網に接続したことを検知すると共に当該無線通信網の通信速度を取得する通信網監視装置を前記無線通信網に備えたことを特徴とする移動端末メールシステム。
【請求項５】
前記請求項４に記載の移動端末メールシステムにおいて、
前記通信網監視装置に前記移動端末のユーザ情報を予め記憶した端末情報データベース装置を併設し、この端末情報データベース装置が、前記接続を検知された移動端末を前記ユーザ情報に基づき認証する移動端末認証機能を有することを特徴とした移動端末メールシステム。
【請求項６】
前記請求項５に記載の移動端末メールシステムにおいて、
前記電子メーラ起動装置が、前記認証された移動端末の電子メーラを起動する認証端末電子メーラ起動機能を備えたことを特徴とする移動端末メールシステム。
【請求項７】
前記請求項５に記載の移動端末メールシステムにおいて、
前記端末情報データベース装置は、前記各無線通信網の通信速度に応じて予め設定された前記各無線通信網で送受信される各電子メールの上限容量値を記憶する通信メール容量記憶機能を備え、
前記電子メーラ起動装置が、前記認証された移動端末が接続した通信網の通信速度と前記記憶された上限容量とに基づいて前記電子メーラにより実行される電子メールの送受信を制御する電子メーラ送受信制御機能を有することを特徴とした移動端末メールシステム。
【請求項８】
前記請求項７に記載の移動端末メールシステムにおいて、
前記各無線通信網は、通信速度に基づく高速通信網、中速通信網、および低速通信網の何れか１つであり、
前記端末情報データベース装置は、前記高速通信網、中速通信網、および低速通信網それぞれの通信速度と当該通信速度に応じて設定された前記電子メールの上限容量値とを対応させた電子メールパラメータ情報を記憶するパラメータ記憶機能を備えたことを特徴とする移動端末メールシステム。
【請求項９】
異なる通信速度の無線通信網と、電子メーラを有する移動端末と、前記無線通信網を介して前記電子メーラを起動する前記電子メーラ起動装置とを備え、前記電子メーラの起動動作を制御する移動端末メール制御方法において、
前記移動端末が、前記無線通信網に対して接続を行う無線通信網接続工程と、
前記移動端末が一定の通信速度以上の無線通信網に対して接続を行ったことを検知する無線接続検知工程と、
前記電子メーラ起動装置が、前記接続を検知された移動端末の電子メーラを起動する電子メーラ起動工程と、
を備えたことを特徴とする移動端末メール制御方法。
【請求項１０】
電子メーラを有する移動端末が一定の通信速度以上の無線通信網に接続した場合に、前記移動端末の接続を検知する通信網監視装置と、前記移動端末のユーザ情報を有すると共に前記移動端末の認証を行う端末情報データベース装置と、前記認証された移動端末の電子メーラを起動する電子メーラ起動装置とにより前記電子メーラの電子メール送受信を制御する移動端末メール制御方法であって、
前記移動端末が、前記無線通信網に対して接続を行う無線通信網接続工程と、
前記通信網監視装置が、前記無線通信網の通信速度と前記移動端末のユーザ情報を前記端末情報データベース装置に通知する端末情報通知工程と、
前記端末情報データベース装置が、前記通知された通信速度が一定の通信速度以上の場合に前記ユーザ情報の認証を行う端末登録認証工程と、
前記電子メーラ起動装置が、前記認証された移動端末の電子メーラを起動する電子メーラ起動工程と、
を備えたことを特徴とする移動端末メール制御方法。
【請求項１１】
前記請求項１０に記載の移動端末メール制御方法において、
前記端末情報データベース装置が、通知された通信速度に応じて前記電子メーラが送受信を行う各電子メールの送受信容量を決定する送受信メール容量決定工程と、
前記電子メーラ起動装置が、前記認証された移動端末の電子メーラを起動すると共に前記決定された各電子メールの送受信容量に基づき前記電子メーラの電子メール送受信を制御するメール送受信制御工程とを
前記電子メーラ起動工程に代えて備えたことを特徴とする移動端末メール制御方法。
【請求項１２】
異なる通信速度の無線通信網と、電子メーラを有する移動端末と、前記無線通信網を介して前記電子メーラを起動する前記電子メーラ起動装置とを備え、前記移動端末の電子メーラを制御するための移動端末メール制御プログラムにおいて、
前記無線通信網に接続された移動端末の電子メーラを起動する電子メーラ起動機能をコンピュータに実行させることを特徴とする移動端末メール制御プログラム。
【請求項１３】
前記請求項１２に記載の移動端末メール制御プログラムにおいて、
予め設定された各電子メールの制限容量に基づいて前記電子メーラの電子メール送受信を制御するメール送受信制御機能をコンピュータに実行させることを特徴とする移動端末メール制御プログラム。
【発明の詳細な説明】
【技術分野】
【０００１】
本発明は、高速移動体通信ネットワークを介して電子メール通信を行う移動体通信サービスに関する。
【背景技術】
【０００２】
高速通信ネットワークに対応したネットワークインフラ及び携帯電話やデータカード端末が普及しており、大容量のファイルおよびデータを送付する為に電子メールが利用されるケースが増えている。
こうした通信環境において、大容量のデータを含む電子メールを、高速通信ネットワークを利用して効率的に送受信する為には、例えば、無線通信ネットワークを利用する移動端末のユーザが、高速通信網に接続されていることを認識した上で、電子メールの送受信を行うことが必要となる。
【０００３】
しかしながら、無線高速通信ネットワークの導入については、段階的に進んでいるため、通信速度が異なる複数の無線通信ネットワークが混在している状況にあり、通常、移動端末のユーザ側からは、移動端末が接続されている通信ネットワークの通信速度を認識することができない。
【０００４】
又、移動端末のユーザが電子メールの受信を行う場合、通信端末が無線通信網の圏内にあるときは、通信端末のユーザが、通信端末の電子メーラに対して電子メール受信の操作を行うことにより、電子メールセンターの受信メールサーバから通信端末に電子メールが受信される。
一方、通信端末がネットワーク圏外にあるときは、通信端末が無線通信網の圏内に入り、その上でユーザが電子メールを受信する操作を行う必要がある。
【０００５】
更に、電子メールの送信を行う場合も同様に、通信端末が無線通信網の圏内にあるときは、通信端末ユーザの電子メールを送信する操作がなされることにより、電子メール送信が行われる。
一方、通信端末がネットワーク圏外にいるときに電子メールの送信を行う場合、移動端末ユーザにより、電子メールの送信指示を受けた電子メーラは、送信待ち状態(送信待機状態)となる。この場合、通信端末が、通信ネットワーク圏内にいることを感知した場合に、電子メーラが自動的に起動され、電子メールの送信が行われる。
【０００６】
しかしながら、この場合、移動端末のユーザは、移動端末が接続している無線通信網の通信速度が分からないために、例えば、大容量のファイルやデータを含む電子メールの送受信が、低速の無線通信網(回線)で開始される場合や、ユーザが送信又は受信の操作を行ってしまう場合等が生じうる。
このような場合には、送信するデータの欠落や送信エラーが生じる可能性が高まると共に、通信時間、通信料金が余計にかかってしまったり、通信トラフィックの増大によりさらなる通信速度の低下が生じたりする不都合が生じ得る。
【０００７】
これに対して、移動端末が現在接続している無線通信網の通信速度を、移動端末ユーザに通知する手法が開示されている(特許文献１および２)。
【０００８】
【特許文献１】２００３−２０９８７０
【特許文献１】２００６−１７３７７８
【発明の開示】
【発明が解決しようとする課題】
【０００９】
しかしながら、上記特許文献１および２に記載の従来技術では、高速通信網に接続したことがユーザに通知された場合でも、その通知をユーザが気づかない場合や、ユーザが移動端末を操作できない場合には、電子メールの送受信を行うことができない不都合が生じ、非効率的であった。
【００１０】
［発明の目的］
本発明は、上記従来例の有する不都合を改善し、移動端末による電子メールの送受信を効率的に実行し得る移動端末メールシステム、移動端末メール制御方法、および移動端末メール制御プログラムを提供することを、その目的とする。
【課題を解決するための手段】
【００１１】
上記目的を達成するために、本発明に係る移動端末メールシステムでは、異なる通信速度の複数の無線通信網と、電子メーラを有する移動端末と、この移動端末が一定の通信速度以上の前記無線通信網に接続したときに当該無線通信網を介して前記電子メーラを起動する電子メーラ起動装置とを備えた構成をとっている。
【００１２】
又、本発明にかかる移動端末メール制御方法は、異なる通信速度の無線通信網と、電子メーラを有する移動端末と、前記無線通信網を介して前記電子メーラを起動する前記電子メーラ起動装置とを備え、前記移動端末の電子メーラを制御する移動端末メール制御方法であって、前記移動端末が、前記無線通信網に対して接続を行う無線通信網接続工程と、
前記電子メーラ起動装置が、一定の通信速度以上の無線通信網に対する前記移動端末の無線接続を検知する無線接続検知工程と、前記電子メーラ起動装置が、前記無線接続を検知された移動端末の電子メーラを起動する電子メーラ起動工程と、を備えたことを特徴とする。
【００１３】
更に、本発明にかかる移動端末メール制御プログラムは、異なる通信速度の無線通信網と、電子メーラを有する移動端末と、前記無線通信網を介して前記電子メーラを起動する前記電子メーラ起動装置とを備え、前記移動端末の電子メーラを制御するための移動端末メール制御プログラムにおいて、前記無線通信網に接続された移動端末の電子メーラを起動する電子メーラ起動機能をコンピュータに実行させることを特徴としている。
【発明の効果】
【００１４】
本発明は、以上のように構成され機能するので、これによると、異なる通信速度の複数の無線通信網と、電子メーラを有する移動端末とを備え、この移動端末が一定の通信速度以上の前記無線通信網に接続したときに、当該無線通信網を介して前記電子メーラを起動する電子メーラ起動装置を有する構成としたので、移動端末が無線通信網との間で無線通信を開始することにより、自動的に電子メーラを起動することができ、且つ効率的に電子メールの送受信を実行することができる、という従来にない優れた移動端末メールシステム、移動端末メール制御方法、および移動端末メール制御プログラムを提供することができる。
【発明を実施するための最良の形態】
【００１５】
［実施例１］
本発明の実施例１は、図１に示すように、異なる通信速度の通信ネットワークそれぞれに対して無線接続を行うためのインターフェイス有するマルチアクセス端末(移動端末)７０と、このマルチアクセス端末７０を介して電子メールの送受信を行う電子メーラ８０と、マルチアクセス端末７０に対してそれぞれ無線リンクを提供する低速通信ネットワーク６０、中速通信ネットワーク５０、および高速通信ネットワーク４０を備えている。
【００１６】
ここで、上記の通信ネットワークはそれぞれ、マルチアクセス端末７０に対して、低速の通信速度の無線リンクを提供する低速通信ネットワーク６０、中速の通信速度の無線リンクを提供する中速通信ネットワーク５０、および高速の通信速度の無線リンクを提供する高速通信ネットワーク４０であって、以下総称として通信ネットワーク(４０、５０、及び６０)という。又、ここでは、低速通信ネットワーク６０として例えばＧＳＭ(Global System for Mobile)を、又、中速通信ネットワーク５０として例えば３ＧやＨＳＤＰＡ(High Speed Downlink Packet Access)を想定しており、更に、高速通信ネットワーク４０としては、ＷｉＭＡＸ(World Interoperability for Microwave Access)を想定している。
【００１７】
又、本実施例は、上記各通信ネットワーク(４０、５０、及び６０)に接続され、マルチアクセス端末７０の各通信ネットワークに対する接続を監視する通信環境監視サーバ１０と、この通信環境監視サーバ１０にマルチアクセス端末７０のユーザ情報を記憶するユーザ情報管理データベース(端末情報データベース装置)３０を併設すると共に、このユーザ情報管理データベース３０に上記電子メーラ８０を起動する電子メーラ起動サーバ(電子メーラ起動装置)２０が接続され、更に、各通信ネットワーク(４０、５０、及び６０)に接続され、電子メーラ８０との間で相互に電子メールの送受信を行う電子メールサーバ９０を備えた構成となっている。
【００１８】
以下、これを詳説する。
マルチアクセス端末７０は、1つの端末で複数の無線ネットワーク方式に対応しており、通信状況に応じて高速通信ネットワーク４０、中速通信ネットワーク５０、低速通信ネットワーク６０を選択して無線通信接続を行うマルチ無線接続機能を有する。
【００１９】
又、マルチアクセス端末７０は、通信ネットワーク(４０、５０、および６０)から送出される無線リンク信号を捕捉する無線リンク捕捉機能と、捕捉した無線リンク信号に対して無線接続を開始する無線接続確立機能とを有する。
これにより、マルチアクセス端末７０を所持するユーザが、上記通信ネットワーク(４０、５０、及び６０)の何れかの圏内に位置する場合に、対応した通信ネットワークとの無線接続が自動的に開始される。
又、これにより、マルチアクセス端末７０を保持するユーザが各通信ネットワークの通信圏内に入った時点で、マルチアクセス端末７０と各通信ネットワーク内のアクセスポイント(無線基地局)との通信が開始される。
【００２０】
更に、マルチアクセス端末７０は、予め設定された固有の端末識別情報を有し、当該端末識別情報は、ＭＡＣアドレス(Media Access Control address)であってもよい。
又、通信圏が重なる領域においては、端末側で無線接続を行うネットワークを選択できる機能を備えてもよい。
【００２１】
電子メーラ８０は、後述する電子メーラ起動サーバ２０から送り込まれる電子メーラ起動要求に応じて、電子メールサーバ９０から電子メールを受信する、又はマルチアクセス端末７０内で送信待機状態にある電子メールの送信を実行する電子メール送受信実行機能を備えている。
これにより、ユーザがマルチアクセス端末７０および電子メーラ８０に対して直接に操作を行うことなく、電子メールの送受信を自動的に実行することができる。
【００２２】
尚、本実施例では、電子メーラ８０をマルチアクセス端末７０の外部に併設した例を示しているが、電子メーラ８０をマルチアクセス端末７０の内部に設けた構成であってもよい。
【００２３】
通信環境監視サーバ１０は、予め登録されたマルチアクセス端末７０が、高速通信ネットワーク４０、中速通信ネットワーク５０、または低速通信ネットワーク６０の何れかに接続しているか、若しくは通信圏外状態であるかを常時監視する端末接続状態監視機能を備えている。
尚、本実施例では、図１に示すように、高速通信ネットワーク４０、中速通信ネットワーク５０、および低速通信ネットワーク６０は、並列に通信環境監視サーバ１０に接続されている。
【００２４】
又、通信環境監視サーバ１０は、マルチアクセス端末７０が上記通信ネットワーク(４０、５０、又は６０)に接続したことを検知する端末接続検知機能と、マルチアクセス端末７０が接続した通信ネットワークの通信速度を取得する通信速度取得機能を備え、この取得した通信速度と接続が検知されたマルチアクセス端末７０の端末特定情報をユーザ情報管理データベース３０に通知する端末接続情報通知機能を有する。
ここで、通信環境監視サーバ１０は、端末接続情報通知機能を常時実行することにより、ユーザ情報管理データベース３０との間で、マルチアクセス端末７０がどの通信ネットワークに接続されているか、つまり、どのくらいの通信速度を有する通信ネットワークに接続された状態であるかの通信状態情報の同期を行うことができる。
【００２５】
又、通信環境監視サーバ１０は、マルチアクセス端末７０に固有の端末識別情報を予め記憶する端末識別情報記憶機能と、
これにより、予め登録設定された複数のマルチアクセス端末７０それぞれの無線接続の状態を管理することができる。
【００２６】
ここで、通信環境監視サーバ１０に予め登録されたマルチアクセス端末７０の端末識別情報として、携帯電話やＰＤＡ等の携帯端末に固有の電話番号やＭＡＣアドレスを識別情報を利用してもよい。
これにより、通信環境監視サーバ１０は、マルチアクセス端末７０がどの通信ネットワークに無線接続されているかを把握することができる。
【００２７】
電子メーラ起動サーバ２０は、ユーザ情報管理データベース３０から送り込まれた起動適用信号に基づいて、電子メーラ８０の起動を要求する電子メーラ起動要求信号をマルチアクセス端末７０に送信する電子メーラ起動機能を備えている。
ここで、上記起動適用信号には、電子メーラ８０を有するマルチアクセス端末７０の端末識別情報と当該マルチアクセス端末７０が接続した通信ネットワークを特定する情報が含まれていてもよい。
【００２８】
又、上記電子メーラ起動要求信号は、前記マルチアクセス端末７０が接続した通信ネットワークを介して送信される。
尚、本実施例では、電子メーラ起動サーバ２０は、ユーザ情報管理データベースに併設された例を示しているが、通信ネットワーク(４０、５０、及び６０)にそれぞれ通信回線を介して接続された構成であってもよい。
【００２９】
ユーザ情報管理データベース３０は、通信環境監視サーバ１０から通知された前記端末特定情報および通信速度情報に基づき、電子メーラ８０を起動するか否かの判定を行う電子メーラ起動適用判定機能を有する。
ここで、ユーザ情報管理データベース３０は、前記電子メーラ起動適用判定機能を実行するのに先立って、前記通知された通信速度情報が予め設定された一定の通信速度以上である場合に、電子メーラの自動起動を許容する判定を行う(許容通信速度判定機能)。
ここで、上記予め設定された一定の通信速度を変更設定できるようにしてもよい。これにより、電子メーラの自動起動が行われる通信速度を、送受信が実行される電子メールのメールサイズ(容量)に応じて変更設定することできる。
これにより、送受信される電子メールの容量の大きさに応じて、通信速度の異なる通信ネットワークを効率的に利用することができる。
【００３０】
又、ユーザ情報管理データベース３０は、電子メーラ起動機能が適用されるマルチアクセス端末をリスト化したメーラ起動適用リストを記憶する適用リスト記憶機能と、このメーラ起動適用リストにリスト化されたマルチアクセス端末(情報)と通信環境監視サーバ１０から通知された端末特定情報との一致の可否を判定する起動適用端末判定機能を備えている。
これにより、ユーザ情報管理データベース３０は、通信環境監視サーバ１０から通知された端末(例えば、マルチアクセス端末７０)に備えられた電子メーラに対して、電子メーラ起動機能を実行するか否かの判定を行うことができる。
【００３１】
更に、ユーザ情報管理データベース３０は、前記マルチアクセス端末７０が接続した通信ネットワークが予め設定された通信速度以上の通信速度であり、且つ前記マルチアクセス端末７０が前記前記自動起動適用リストにリスト化されている場合に、電子メーラ起動サーバ２０に対して電子メーラ起動要求機能の実行を指示する起動適用信号を送信する起動適用信号送信機能を備えている。
これにより、電子メーラ起動サーバ２０は、この起動適用信号をトリガーとして電子メーラ起動機能を実行する。
【００３２】
通信ネットワーク(４０、５０、及び６０)は、それぞれ無線リンクを提供する無線基地局（又はアクセスポイント）を有する通信ネットワークであって、上述のように、通信速度の異なる低速通信ネットワーク４０、中速通信ネットワーク５０、および高速通信ネットワーク６０はそれぞれ、マルチアクセス端末７０に対して無線リンクを提供する無線リンク提供機能を有する。
尚、通信ネットワーク(４０、５０、及び６０)が無線リンク信号を常時送出することにより、マルチアクセス端末７０を保持するユーザが、それぞれの通信ネットワークの通信圏に入った場合に、マルチアクセス端末７０が、無線リンク信号を捕捉し無線接続が開始される。
【００３３】
電子メールサーバ９０は、通信ネットワーク４０、５０、および６０それぞれに接続され、マルチアクセス端末７０が無線接続した通信ネットワークを介して電子メールを
電子メーラ８０からの受信メール要求に対して、当該受信メール要求に対応する受信メールを送信する機能と、マルチアクセス端末７０から前記無線接続した通信ネットワークを介して送られた電子メールを受信して、当該電子メールを送信先に向けて送出する機能とを備えている。
【００３４】
［実施例１の動作説明］
次に、上記実施例の動作について説明する。
先ず、マルチアクセス端末７０が、無線通信網(４０，５０、又は６０)に対して接続を行う(無線通信網接続工程)、次いで、通信環境監視サーバ１０が、移動端末７０が接続した通信ネットワークの通信速度とマルチアクセス端末７０のユーザ情報をユーザ情報管理データベース３０に通知する(端末情報通知工程)。次に、ユーザ情報管理データベース３０が、通知された通信速度が一定の通信速度以上の場合に前記ユーザ情報の認証処理を行う(端末登録認証工程)。
次に、電子メーラ起動サーバ２０が、認証されたマルチアクセス端末７０の電子メーラ８０を起動する(電子メーラ起動工程)。
【００３５】
ここで、上記無線通信網接続機能、端末情報通知機能、端末登録認証機能、および電子メーラ起動機能については、その実行内容をプログラム化し、コンピュータに実行させるように構成してもよい。
【００３６】
次に、上記実施例の移動端末メールシステムの動作を、図２のシーケンスチャートに基づいて説明する。
まず、マルチアクセス端末７０を保持した利用者が高速通信ネットワーク４０圏内進入すると共に無線接続が確立される（ステップＳ１０１：無線通信接続工程）。次に、通信環境監視サーバ１０が、マルチアクセス端末７０が一定の通信速度以上の通信ネットワークに接続したことを検知する（ステップＳ１０２）。次いで、通信環境監視サーバ１０は、マルチアクセス端末７０の端末特定情報とマルチアクセス端末７０が接続した通信ネットワークの通信速度をユーザ情報管理データベース３０に通知する（ステップＳ２０３：端末情報通知工程）。
【００３７】
次いで、ユーザ情報管理データベース３０は、予め登録された端末識別情報(ユーザ情報)に基づき、通知された端末特定情報の登録認証を行う（ステップＳ１０４：端末登録認証行程）。
ユーザ情報管理データベース３０は、マルチアクセス端末７０が登録認証された場合に（ステップＳ１０５）、電子メーラ起動サーバ２０に起動適用信号を送信する（ステップＳ１０６）。次いで、電子メール送受信最適化サーバ２０は、起動適用要求に基づき電子メーラ８０に電子メーラ起動要求を送信する（ステップＳ１０７：電子メーラ起動工程）。
【００３８】
移動端末がアクセスしている無線通信網の通信速度に応じて自動的に、送受信が実行される通信データ容量(電子メール容量)が可変的に決定される。
【００３９】
以上のように、本発明にかかる実施例１は、上述のように構成され機能するので、移動端末が一定の通信速度以上の無線通信ネットワークとの間で無線通信を開始することに伴い、自動的に電子メーラが起動される。このため、大容量のデータを含む電子メールを、高いデータ伝送速度を有する通信網を介して、効率的に送受信することができる。
【００４０】
［実施例２］
次に、本発明に係る実施例２の移動端末メールシステムについて説明する。ここで、前述した実施例１と同一の部分については、同一の符号を付するものとする。
この実施例２は、システムの機器構成部分は前述した実施例１(図１)とほぼ同一の構成を備えている。
【００４１】
ここで、本実施例では、ユーザ情報管理データベース３０が、マルチアクセス端末７０が接続した無線通信ネットワークの通信速度に応じて電子メーラの電子メール送受信動作を規定する通信容量パラメータテーブルを記憶している点と電子メーラ起動サーバ２０が通信容量パラメータテーブルに基づいて電子メーラ８０の送受信動作を制御する機能を有する点が上述の実施例１と異なる。その他の構成における機能については、実施例１と同様である。
又、上記通信容量パラメータテーブルは、図３に示すように、通信速度の異なる各無線通信ネットワークに対応して予め設定された、送受信が許容される電子メールサイズ(以下「上限容量」という)、および電子メーラ８０の電子メール送受信動作の制御ポリシーが登録されている。
【００４２】
又、ユーザ情報管理データベース３０は、上記通信容量パラメータテーブルに基づき設定される電子メール送受信動作の制御ポリシーを電子メーラ起動サーバに通知する制御ポリシー通知機能を有する。
ここで、ユーザ情報管理データベース３０のその他の機能および構成については上述の実施例１と同様である。
【００４３】
電子メーラ起動サーバ２０は、ユーザ情報管理データベース３０から送り込まれた起動適用信号に基づいて、電子メーラ８０の起動を要求する電子メーラ起動要求信号をマルチアクセス端末７０に送信する電子メーラ起動機能を備えている。
ここで、上記起動適用信号には、電子メーラ８０を有するマルチアクセス端末７０の端末識別情報と当該マルチアクセス端末７０が接続した通信ネットワークを特定する情報が含まれていてもよい。
【００４４】
又、電子メーラ起動サーバ２０は、ユーザ情報管理データベース３０から送り込まれた電子メール送受信動作の制御ポリシーに基づいて、前記起動された電子メーラ８０の電子メール送受信動作を制御する電子メーラ送受信制御機能を有する。
ここで、電子メーラ起動サーバ２０は、マルチアクセス端末７０が接続した無線通信ネットワークを介して電子メーラ８０にメーラ制御信号を送信することにより、上記電子メーラ送受信制御機能を実行するようにしてもよい。
これにより、前記電子メーラ８０は、受信したメーラ制御信号に基づいて、電子メールの送受信動作を制御することができる。
【００４５】
又、本実施例では、マルチアクセス端末７０が接続した無線通信ネットワークの通信速度に応じて、無線通信ネットワークで送受信される電子メールデータ量（上限容量）の変更設定を行うことができる。
このため、例えば、マルチアクセス端末７０が、高速通信ネットワーク４０に接続した場合には、全てのサイズの電子メールについて送受信を実行する制御を行い、中速通信ネットワーク５０に接続した場合には、中程度のデータ量の電子メールまでを送受信可能とし、このとき大容量データメールについては送信および受信せず、高速通信ネットワーク４０圏に接続されるまで受信待機状態とする。
【００４６】
更に、マルチアクセス端末７０が、低速通信ネットワーク６０に接続した場合には、小量のデータ量の電子メールのみ送受信可能し、中量および大量データの電子メールは、通信ネットワーク４０または５０に接続されるまでは待機状態とする。このように、マルチアクセス端末７０の接続先である無線通信ネットワークの通信速度と送受信される電子メールの容量とに基づいて、電子メーラ８０の電子メール送受信動作を制御することにより、容量の異なる電子メールの送受信を効率的に実行することができる。
【００４７】
［実施例２の動作説明］
次に、上記実施例２の動作について説明する。
先ず、マルチアクセス端末７０が、無線通信網(４０，５０、又は６０)に対して接続を行う(無線通信網接続工程)、次いで、通信環境監視サーバ１０が、移動端末７０が接続した通信ネットワークの通信速度とマルチアクセス端末７０のユーザ情報をユーザ情報管理データベース３０に通知する(端末情報通知工程)。次に、ユーザ情報管理データベース３０が、通知された通信速度が一定の通信速度以上の場合に前記ユーザ情報の認証処理を行う(端末登録認証工程)と共に、通知された通信速度に応じて電子メーラ８０が、送受信を行う各電子メールの送受信容量を決定する(送受信メール容量決定工程)。次に、電子メーラ起動サーバ２０が、認証されたマルチアクセス端末７０の電子メーラ８０を起動すると共に前記決定された各電子メールの送受信容量に基づいて電子メーラ８０の電子メール送受信を制御する(メール送受信制御工程)。
【００４８】
ここで、上記無線通信網接続機能、端末情報通知機能、端末認証機能、送受信メール容量決定機能およびメール送受信制御機能については、その実行内容をプログラム化し、コンピュータに実行させるように構成してもよい。
【００４９】
次に、上記実施例の移動端末メールシステムの動作を、図４のシーケンスチャートに基づいて説明する。
まず、マルチアクセス端末７０を保持した利用者が高速通信ネットワーク４０圏内進入すると共に無線接続が確立される（ステップＳ２０１：無線通信接続工程）。次に、通信環境監視サーバ１０が、マルチアクセス端末７０がどの通信ネットワークに接続したかを検知する（ステップＳ２０２）。次いで、通信環境監視サーバ１０は、マルチアクセス端末７０の端末特定情報とマルチアクセス端末７０が接続した通信ネットワークの通信速度をユーザ情報管理データベース３０に通知する（ステップＳ２０３：端末情報通知工程）。
【００５０】
次いで、ユーザ情報管理データベース３０は、予め登録された端末識別情報(ユーザ情報)に基づき、通知された端末特定情報の登録認証を行う（ステップＳ２０４：端末登録認証行程）。次に、ユーザ情報管理データベース３０は、予め登録された通信容量パラメータテーブルに基づいて、電子メーラ８０が送受信を行う各電子メールの送受信容量を通知された通信速度に応じて決定し(ステップＳ２０５：送受信メール容量決定工程)、電子メーラ起動サーバ２０に通知する(ステップＳ２０６)。次いで、電子メーラ起動サーバ２０が、認証されたマルチアクセス端末７０の電子メーラ８０を起動する(ステップＳ２０７)と共に前記決定された各電子メールの送受信容量に基づいて電子メーラ８０の電子メール送受信を制御する(ステップＳ２０８：メール送受信制御工程(Ｓ２０７〜２０８))。
【００５１】
以上のように、本発明にかかる実施例２は、上述のように構成され機能するので、移動端末が無線通信ネットワークとの間で無線通信を開始することに伴い、自動的に電子メーラが起動され、且つ、移動端末が接続した無線通信網の通信速度に応じたデータ量の電子メールが送受信されるので、各電子メールのサイズ(容量)に適合した、効率的な電子メール送受信を行うことができる。
【産業上の利用可能性】
【００５２】
本発明は、高速無線通信ネットワークを利用して移動端末に対して提供される通信ネットワークサービスへの利用が考えられる。
【図面の簡単な説明】
【００５３】
【図１】本発明による移動端末メールシステムの一実施例の全体を示す概略構成図である。
【図２】図１に開示した移動端末メールシステムにおける動作処理ステップを示したシーケンスチャートである。
【図３】図１に開示した移動端末メールシステムであって、通信状況に応じた電子メーラの制御方針を示すテーブルの一例を示す説明図である。
【図４】本発明による移動端末メールシステムの一実施例の動作処理ステップを示したシーケンスチャートである。
【符号の説明】
【００５４】
１０  通信環境監視サーバ
２０  電子メーラ起動サーバ
３０  ユーザ情報管理データベース
４０  高速通信ネットワーク
５０  中速通信ネットワーク
６０  低速通信ネットワーク
７０  マルチアクセス端末
８０  電子メーラ
９０  電子メールサーバ
【図１】
2009027452.tif 000003
【図２】
2009027452.tif 000004
【図３】
2009027452.tif 000005
【図４】
2009027452.tif 000006